(57)【要約】【課題】チクソ性を有する接着剤を用いた場合であっても、安定した塗布を可能とする。【解決手段】吐出口２３を有する容器２１内に充填された接着剤に対して一定の圧力を加える圧力印加ステップと、一定の圧力を加えた状態において、容器２１の吐出口２３からの接着剤の吐出量を調整する吐出量調整ステップと、吐出量を調整して容器２１の吐出口２３から吐出させた接着剤を、当該吐出口２３に取り付けられたノズル３１により流動させて塗布する流動ステップとを有する。【選択図】図２
2016000374.tif 000002
【特許請求の範囲】
【請求項１】
吐出口を有する容器内に充填された接着剤に対して一定の圧力を加える圧力印加ステップと、
前記圧力印加ステップにおいて一定の圧力を加えた状態において、前記容器の吐出口からの前記接着剤の吐出量を調整する吐出量調整ステップと、
前記吐出量調整ステップにおいて吐出量を調整して前記容器の吐出口から吐出させた接着剤を、当該吐出口に取り付けられたノズルにより流動させて塗布する流動ステップと
を有する接着剤の塗布方法。
【請求項２】
前記吐出量調整ステップにおいて、プランジャ式のメカバルブにより前記接着剤の吐出量を調整する
ことを特徴とする請求項１記載の接着剤の塗布方法。
【請求項３】
前記吐出量調整ステップにおいて、ダイアフラム式のメカバルブにより前記接着剤の吐出量を調整する
ことを特徴とする請求項１記載の接着剤の塗布方法。
【発明の詳細な説明】
【技術分野】
【０００１】
この発明は、チクソ性を有する接着剤の塗布方法に関するものである。
【背景技術】
【０００２】
接着剤の塗布方法において、従来から、エアパルス式の塗布装置が知られている（例えば特許文献１参照）。このエアパルス式の塗布装置では、図５に示すように、シリンジ１０１内に充填された接着剤５に対してエア圧を加え、吐出口１０１１に取り付けられたストレートニードル１０２を介して外部のワークに塗布している。また、粘度が高い接着剤５を用いる場合には、図５に示すストレートニードル１０２に代えて、図６に示すテーパニードル１０３を用いている。
【先行技術文献】
【特許文献】
【０００３】
【特許文献１】特開平１１−２９０７４５号公報
【発明の概要】
【発明が解決しようとする課題】
【０００４】
ここで、接着剤５には、静止状態から流動状態へ移行すると粘性が異なるような振る舞いをするチクソ性を有するものが存在する。一方、テーパニードル１０３を用いた塗布装置では、ストレートニードル１０２の場合に対し、接着剤５の吐出量が同じであるとすると、その接着剤５の移動量は少なくなる。よって、チクソ性を有する接着剤５では吐出量が安定しない。
また、エアパルス式の塗布装置では、接着剤５の吐出量は、印加されるエア圧とその印加時間により定まる。すなわち、高粘度の接着剤５に対してエア圧を大きくした場合、印加時間が小さくなる。そして、チクソ性を有する接着剤５では、吐出量がエア圧の印加後に時間遅れを持って吐出されるため、その制御が難しい。
【０００５】
以上のように、従来の塗布装置では、チクソ性を有する接着剤５を用いた場合に、塗布を開始した際と終了した際とで接着剤５の吐出量が異なり、安定した塗布が難しいという課題があった。
【０００６】
この発明は、上記のような課題を解決するためになされたもので、チクソ性を有する接着剤を用いた場合であっても、安定した塗布が可能となる接着剤の塗布方法を提供することを目的としている。
【課題を解決するための手段】
【０００７】
この発明に係る接着剤の塗布方法は、吐出口を有する容器内に充填された接着剤に対して一定の圧力を加える圧力印加ステップと、圧力印加ステップにおいて一定の圧力を加えた状態において、容器の吐出口からの接着剤の吐出量を調整する吐出量調整ステップと、吐出量調整ステップにおいて吐出量を調整して容器の吐出口から吐出させた接着剤を、当該吐出口に取り付けられたノズルにより流動させて塗布する流動ステップとを有するものである。
【発明の効果】
【０００８】
この発明によれば、上記のように構成したので、チクソ性を有する接着剤を用いた場合であっても、安定した塗布が可能となる。
【図面の簡単な説明】
【０００９】
【図１】この発明の実施の形態１に係る塗布装置の構成を示す図であり、（ａ）バルブＯＦＦの状態を示す図であり、（ｂ）バルブＯＮの状態を示す図である。
【図２】この発明の実施の形態１に係る塗布装置による接着剤の塗布方法を示す模式図である。
【図３】この発明の実施の形態１に係る塗布装置による効果を示す図であり、（ａ）従来の塗布装置により塗布された接着剤を示す図であり、（ｂ）本発明の塗布装置により塗布された接着剤を示す図である。
【図４】この発明の実施の形態１に係る塗布装置の別の構成を示す図であり、（ａ）バルブＯＦＦの状態を示す図であり、（ｂ）バルブＯＮの状態を示す図である。
【図５】従来の塗布装置の構成を示す図である。
【図６】従来の塗布装置の別の構成を示す図である。
【発明を実施するための形態】
【００１０】
以下、この発明の実施の形態について図面を参照しながら詳細に説明する。
実施の形態１．
図１はこの発明の実施の形態１に係る塗布装置の構成を示す図である。
塗布装置は、図１に示すように、圧力印加部１、吐出量調整部２及び流動部３から構成されている。
【００１１】
圧力印加部１は、吐出口２３を有する容器２１内に充填された接着剤５に対して一定の圧力を加えるものである。図１の例では、液剤タンク１１の開放端からエア圧を加えることにより、容器２１内に充填された接着剤５に対して一定の圧力を加えている。
【００１２】
吐出量調整部２は、圧力印加部１により一定の圧力が加えられた状態において、容器２１の吐出口２３からの接着剤５の吐出量を調整するものである。図１の例では、吐出量調整部２としてプランジャ式のメカバルブを用いた場合を示している。そして、プランジャ２２を上げ下げすることによって吐出口２３の開閉を行い、流動部３への接着剤５の吐出量を調整している。
【００１３】
流動部３は、吐出量調整部２により吐出量が調整されて容器２１の吐出口２３から吐出された接着剤５を、当該吐出口２３に取り付けられたノズル３１により流動させて塗布するものである。なお、ノズル３１は、吐出口２３から吐出された接着剤５を十分に流動させることができる長さのものを用いる。
【００１４】
次に、上記のように構成された塗布装置による接着剤５の塗布方法について、図２を参照しながら説明する。
本発明の塗布装置による接着剤５の塗布では、まず、図２（ａ）に示すように、吐出量調整部２により容器２１の吐出口２３からの接着剤５の吐出を遮断した状態（プランジャ２２を下げて吐出口２３を閉じた状態）とし、圧力印加部１により容器２１内の接着剤５に対して一定の圧力を加える（ステップＳＴ１、圧力印加ステップ）。
【００１５】
次いで、図２（ｂ）に示すように、吐出量調整部２により、プランジャ２２を上げて吐出口２３を開くことで、接着剤５の吐出量を調整する（ステップＳＴ２、吐出量調整ステップ）。これにより、容器２１内の接着剤５は、圧力印加部１により加えられた圧力によって流動部３に押し出される。
【００１６】
次いで、図２（ｃ）に示すように、流動部３により、吐出口２３から吐出された接着剤５を流動させて外部のワークに塗布する（ステップＳＴ３、流動ステップ）。なおこの際、ノズル３１の流動距離が長いため、接着剤５を十分に流動させることができ、当該接着剤５の粘度が安定する。また、接着剤５を吐出するための圧力は一定であるため、接着剤５の流動も一定となり、当該接着剤５の粘度が安定する。よって、接着剤５がチクソ性を有する場合であっても、その吐出量が安定する。
【００１７】
なお、吐出口２３が開いてから接着剤５がノズル３１から押し出されるまでの時間（流動時間）は、圧力印加部１により印加される圧力、接着剤５の粘度、及びプランジャ２２の移動高さに依存する。すなわち、粘度が低い接着剤５を用いた場合には、粘度が高い接着剤５を用いた場合に対して流動時間は短くなる。
【００１８】
そして、接着剤５の塗布後、図２（ｄ）に示すように、吐出量調整部２により、プランジャ２２を下げて吐出口２３を閉じることで、接着剤５の吐出を遮断する（ステップＳＴ４、吐出量調整ステップ）。なお、プランジャ２２を下げた際に、その体積分の接着剤５が流動部３に強制的に押し出されることになる。そのため、作業者はこの押し出された接着剤５をふき取る。
【００１９】
次に、従来構成と本発明の構成において、接着剤５を塗布した際の挙動について、図３を参照しながら説明する。図３（ａ）は従来構成の場合での接着剤５の挙動を示し、図３（ｂ）は本発明の場合での接着剤５の挙動を示している。
この図３に示すように、従来構成では、塗布方向に沿って塗布された接着剤５の幅が一定ではなく（Ｗ’＞Ｗ）、吐出量が安定していないことがわかる。それに対して、本発明の構成では、接着剤５への圧送圧力の印加と吐出量の調整を独立させ、且つ接着剤５の移動量を増やしたので、塗布方向に沿って塗布された接着剤５の幅が一定となり（Ｗ＝一定）、吐出量が安定していることがわかる。
【００２０】
なお上記では、吐出量調整部２としてプランジャ式のメカバルブを用いた場合について示した。しかしながら、これに限るものではなく、例えば図４に示すようなダイアフラム式のメカバルブを用いてもよい。このダイアフラム式のメカバルブでは、図１の構成に対してダイアフラム２４を用いている点以外は基本的な構成・動作は同じであり、同様の効果を得ることができる。なお図４では、圧力印加部１の図示を省略している。
【００２１】
以上のように、この実施の形態１によれば、接着剤５に圧送圧力を印加する手段（圧力印加部１）と、接着剤５の吐出量を調整する手段（吐出量調整部２）とを独立な関係とし、また、流動部３により接着剤５の移動量を増やすように構成したので、チクソ性を有する接着剤５を用いた場合であっても、安定した塗布が可能となる。
【００２２】
なお、本願発明はその発明の範囲内において、実施の形態の任意の構成要素の変形、もしくは実施の形態の任意の構成要素の省略が可能である。
【符号の説明】
【００２３】
１  圧力印加部
２  吐出量調整部
３  流動部
１１  液剤タンク
２１  容器
２２  プランジャ
２３  吐出口
２４  ダイアフラム
３１  ノズル
【図１】
2016000374.tif 000003
【図２】
2016000374.tif 000004
【図３】
2016000374.tif 000005
【図４】
2016000374.tif 000006
【図５】
2016000374.tif 000007
【図６】
2016000374.tif 000008